(57)【要約】【課題】建築物の天井下地組のように高所において、施工された天井下地組材などを基準高さとして利用することにより、床面からの高さ調整に無関係に、また労力を要せず、簡単に装置を設置してレベル出しを行うことができるレベル出し装置を提供する。【解決手段】レーザー発光器８が着脱可能な取り付け台２に連結部３を立設し、連結部３の上部に略水平方向に引掛け板５を取り付け、取り付け台２にレーザー発光器８を着設後、引掛け板５と連結部３とで形成された鉤部５ｃを、天井下地Ｒに施工された基準高さとなる野縁受け１０に引掛け、レーザー発光器８からレーザーを発光させる。【選択図】        図３
2004219381.tif 000002
【特許請求の範囲】
【請求項１】
レーザー発光器を用いて高所のレベル出しをするレベル出し装置であって、レーザー発光器が着脱可能な取り付け台と、該取り付け台に立設された連結部と、該連結部背面に取り付けられた磁石具と、前記連結部の上部に略水平方向に取り付けられた引掛け板とを備え、前記引掛け板を基準高さとなる位置に引掛け、又は、前記磁石具を基準高さとなる位置に吸着させて、取り付け台に着設したレーザー発光器からレーザーを発光させ、レベル出しを行うことを特徴とするレベル出し装置
【発明の詳細な説明】
【０００１】
【発明の属する技術分野】
本発明は、高所においてレーザー発光器を用いてレベル出しを行う装置に関し、特に、建築物の天井下地組のレベル出し作業に便利なレベル出し装置に関するものである。
【０００２】
【従来の技術】
従来の技術では、建築物を構築する際の仕上げその他工事用として、台車上に、高さ調整装置で高さを調整可能な部材と、取り付けられた隅噴射ノズルが水平に移動可能な部材と、レーザー受光器などの部材とを備えた隅出し装置があり、基準となる高さに取り付けられたレーザー発光器から発光されたレーザーをレーザー受光器で受け、その受光に基づき高さ調整装置を作動させ、隅噴射ノズルを所定の高さに調整し、その隅噴射ノズルから隅を噴射させて水平レベルの隅出しを行っている（例えば、特許文献１。）。
また、建築物の天井下地組用のレベル出し技術としては、レーザー発光器を専用の三脚に取り付け、レーザー発光部が基準となる高さになるように三脚の高さを調整し、レーザーを発光させてレベル出しを行う技術や、基準となる高さを計測してマーキングし、複数の同じ高さのマーク間に紐を張ってレベル出しを行う技術がある。
【０００３】
【特許文献１】
特許第２５１４６１８号公報
【０００４】
【発明が解決しようとする課題】
従来の技術では、レベル出しに使用する隅出し装置やレーザー用レベル出し三脚を床面に設置するため、隅出し装置の高さ調整部材やレーザー用レベル出し三脚の三脚部を、基準の高さ近傍まで延ばす必要があり、天井のような高所に使用する場合は、既存のものでは基準の高さ近傍まで届かず作業ができない、また、基準の高さ近傍まで届いたとしてもぐらついて作業がしずらいという問題があった。また、紐を張る技術は、複数の人数を必要とするために、特に施工範囲が広い場合は大変な労力を要するという問題があった。
【０００５】
本発明は、以上のような従来技術の問題点に鑑みてなされたものであり、建築物の天井下地組のような高所において、施工された天井下地組材などを基準となる高さとして利用することにより、床面からの高さに無関係に、労力を要せず、簡単に装置を設置してレベル出しを行うことができるレベル出し装置を提供することを目的とするものである。
【０００６】
【課題を解決するための手段】
このため本発明は、レーザー発光器を用いて高所のレベル出しをするレベル出し装置であって、レーザー発光器が着脱可能な取り付け台と、該取り付け台に立設された連結部と、該連結部背面に取り付けられた磁石具と、前記連結部の上部に略水平方向に取り付けられた引掛け板とを備え、前記引掛け板を基準高さとなる位置に引掛け、又は、前記磁石具を基準高さとなる位置に吸着させて、取り付け台に着設したレーザー発光器からレーザーを発光させ、レベル出しを行うことを特徴とする。
【０００７】
【発明の実施の形態】
以下、本発明の実施の形態を図面に示す実施例に基づいて説明する。図１は、本発明に係るレベル出し装置の一実施例を示す右側面図であり、図２は、その背面図である。図３は、本発明に係るレベル出し装置の設置状態の一実施例を示す説明図である。図４は、本発明に係るレベル出し装置の設置状態の他の実施例を示す説明図である。
【０００８】
図１、図２に示すように、レベル出し装置１は、レーザー発光器８が着脱可能な取り付け台２と、この取り付け台２の後端部に立設された連結部３と、この連結部３の背面に取り付けられた磁石具４と、連結部３の上端部に取り付けられた引掛け板５とからなっている。
【０００９】
取り付け台２は、略長方形の平板状のステンレス鋼で形成され、上下に貫通した透孔２ｄを有する。この透孔２ｄの径は、レーザー発光器取り付けボルト２ｂのネジ部２ｃが貫通可能な大きさとなっている。このレーザー発光器取り付けボルト２ｂは、アタッチメント具２ａを介して、取り付け台２に連結されており、取り付け台２に載置されたレーザー発光器８底部のレーザー発光器取り付けネジ穴８ａに挿入される。そして、挿入されたレーザー発光器取り付けボルト２ｂを回転させてネジ止めすることにより、レーザー発光器８は、アタッチメント具２ａを介して容易に取り付け台２に着設することができる。
【００１０】
このアタッチメント具２ａは、レーザー発光器８を取り外した際に、レーザー発光器取り付けボルト２ｂの脱落を防止するために、取り付け台２の下面に固着されている。レーザー発光器８を取り外す際は、レーザー発光器取り付けボルト２ｂを逆回転させればよい。このように、レーザー発光器８は、取り付け台２に容易に着脱できる。また、レーザー発光器取り付けボルト２ｂのネジ長さ調整部２ｅを、レーザー発光器取り付けネジ穴８ａの深さに対応して調整すれば、アタッチメント具２ａは取り外してもよい。尚、取り付け台２は、略長方形の平板状のステンレス鋼を略Ｌ字状に折り曲げて形成してもよい。
【００１１】
次に、略長方形の平板状のステンレス鋼で形成された連結部３は、取り付け台２の後端部に立設されており、背面には磁石具４が取り付けられ、上端部には、開口部が略長方形の角パイプ形状をなすガイド部６の後端下面が溶接されている。連結部３とガイド部６の接合部近傍には、接合部の補強のため、略Ｌ字状のステンレス鋼で形成された補強具７が溶接されている。この補強具７は、連結部３とガイド部６の接合部の強度が、レーザー発光器８やレベル出し装置１自身の荷重に耐えうる強度を有していれば、必ずしも取り付けなくてもよい。
【００１２】
ステンレス鋼で形成されたガイド部６には、略長方形のＬ字状のステンレス鋼で形成された引掛け板５が、略水平方向に挿通されている。この引掛け板５は、ガイド部６内を略水平方向に摺動する摺動部５ａと、摺動部５ａの後端部から下方に向かって垂設された引掛け部５ｂとからなっている。レベル出し装置１は、この引掛け部５ｂと、摺動部５ａと、連結部３とで形成される鉤部５ｃを、天井下地に施工されている野縁や野縁受けに引掛けることにより、床面からの高さ調整に無関係に、また、紐などを張る必要もなく、基準の高さに簡単に設置できる。
【００１３】
また、ガイド部６の上面には、略対角線上に一対の透孔が設けられ、この透孔に対応した位置に引掛け板固定具６ａが取付けられている。引掛け板固定具６ａは、ビスと、ガイド部６上面に固着されたナットとからなっており、このビスを回転させることにより、ナットを介してガイド部６内にビスが挿入され、摺動部５ａを上面からビスで圧接することにより、引掛け板５を固定する。また、固定した引掛け板５を、摺動自由なように解放する場合は、ビスを逆回転させればよい。このように、引掛け板５は、容易に固定・解放できる。引掛け板５の固定手段は、ビスとナットのような締め付け手段に限らず、バネのような付勢手段でもよい。また、摺動部５ａ又はガイド部６に、摺動部５ａの係止手段を設けても良い。
【００１４】
連結部３の背面には、磁石具４が取付けられている。この磁石具４は、Ｃ形鋼形状の合成樹脂で形成された磁石受け台４ａと、この磁石受け台４ａの背面から上下方向に埋め込まれた二対の平板状の磁石板４ｂとからなっており、上下に２本の磁石具取り付けビス４ｃで、連結部３に取り付けられている。この磁石具４を、天井下地に施工されている鉄製の吊りボルトなどに吸着させることにより、レベル出し装置１は、床面からの高さ調整に無関係に、また、紐などを張る必要もなく、基準の高さに簡単に設置できる。磁石受け台４ａは平板形状でもよく、磁石板４ｂや磁石具取り付けビス４ｃの取り付け数も必要に応じて増減してもよい。
【００１５】
尚、本実施例のレベル出し装置１に使用される部材の形状は、平板状に限らず、角柱状や棒状でもよい。また、その材質は、ステンレス鋼に限らず、所要の強度を有する材質であれば合成樹脂材やアルミニウム材でもよい。
【００１６】
次に本実施例の作用について説明する。
図３に示すように、まず、レーザー発光器８をレベル装置１の取り付け台２に載置し、レーザー発光器取り付けボルト２ｂを、回転させながらレーザー発光器８底部のレーザー発光器取り付けネジ穴８ａに挿入して締め付け、レーザー発光器８を取り付け台２に着設する。この状態で、引掛け板５の摺動部５ａを、ガイド部６を介して後方に摺動させて、引掛け部５ｂと、摺動部５ａと、連結部３とで鉤部５ｃを形成し、この鉤部５ｃを、天井下地Ｒの基準となる高さ位置に施工された野縁受け１０に引掛ける。次に、摺動部５ａを前方に摺動させ、引掛けた野縁受け１０を連結部３と引掛け部５ｂとで挟持する。そして、引掛け板固定具６ａのビスを回転させ、摺動部５ａをガイド部６に圧接することにより、引掛け板５を固定する。このようにして簡単に設置されたレベル出し装置１のレーザー発光器８からレーザを発光させて、容易にレベル出しを行うことができる。このレベルを目標に、他の野縁受け１０や野縁１１などの天井下地組材のレベルを設定する。
【００１７】
また、図４に示すように、天井下地Ｒに施工された鉄製の吊りボルト９上の基準となる高さ近傍に、鉄製の継手１２を継手取り付け具１３で取り付け、この継手１２の基準となる高さ位置に、レーザー発光器８が着設されたレベル出し装置１の磁石具４を吸着させる。レーザ発光器８の着設方法は、上記図３の実施例と同様である。磁石具４は、磁石により吸着させるため、取り外しも簡単である。このようにして簡単に設置されたレベル出し装置１のレーザー発光器８からレーザを発光させて、容易にレベル出しを行うことができる。このレベルを目標に、他の野縁受け１０や野縁１１などの天井下地組材のレベルを設定する。
【００１８】
【発明の効果】
以上説明したように、本発明に係るレベル出し装置は、建築物の天井下地組のように高所において、レーザー発光器を取り付けて、野縁受け材、野縁、吊りボルトなどの基準高さとなる部材に引掛け又は吸着させることにより、床面からの高さ調整に無関係に、また、労力を要せず、簡単に装置を設置してレベル出しを行うことができるという優れた効果を有する。
【図面の簡単な説明】
【図１】図１は、本発明に係るレベル出し装置の一実施例を示す右側面図である。
【図２】図２は、図１の背面図である。
【図３】図３は、本発明に係るレベル出し装置の設置状態の一実施例を示す説明図である。
【図４】図４は、本発明に係るレベル出し装置の設置状態の他の実施例を示す説明図である。
【符号の説明】
１      レベル出し装置
２      取り付け台
２ａ    アタッチメント具
２ｂ    レーザー発光器取り付けボルト
２ｃ    ネジ部
２ｄ    透孔
２ｅ    ネジ長さ調整部
３      連結部
４      磁石具
４ａ    磁石受け台
４ｂ    磁石板
４ｃ    磁石具取り付けビス
５      引掛け板
５ａ    摺動部
５ｂ    引掛け部
５ｃ    鉤部
６      ガイド部
６ａ    引掛け板固定具
７      補強具
８      レーザー発光器
８ａ    レーザー発光器取り付けネジ穴
９      吊りボルト
１０      野縁受け
１１      野縁
１２      継手
１３      継手取り付け具
Ｒ      天井下地
【図１】
2004219381.tif 000003
【図２】
2004219381.tif 000004
【図３】
2004219381.tif 000005
【図４】
2004219381.tif 000006